【手続補正書】
【提出日】平成19年3月8日(2007.3.8)
【手続補正１】
【補正対象書類名】特許請求の範囲
【補正対象項目名】全文
【補正方法】変更
【補正の内容】
【特許請求の範囲】
【請求項１】
少なくともオブジェクトの一部を表示する方法であって、
少なくとも１つのオブジェクトを少なくとも部分的に分割して複数のサブオブジェクトに分割するステップと、
前記複数のサブオブジェクトを第１の表示状態で表示するステップと、
前記複数のサブオブジェクトのうちの少なくとも１つのサブオブジェクトを活性化したサブオブジェクトにする決定を行うステップと、
前記複数のサブオブジェクトのうちの少なくとも１つのサブオブジェクトを活性化したサブオブジェクトにするステップと、
前記少なくとも１つの活性化したサブオブジェクトに対するユーザの操作に応じて、前記少なくとも１つの活性化したサブオブジェクトのうちの少なくとも１つのサブオブジェクトを第２の表示状態で表示するステップと、を具備する方法。
【請求項２】
前記少なくとも１つのオブジェクトと前記サブオブジェクトとが３Ｄオブジェクトである請求項１に記載の方法。
【請求項３】
前記少なくとも１つのオブジェクトがページであり、前記サブオブジェクトがエリアである請求項１に記載の方法。
【請求項４】
前記ユーザの操作のときに、前記少なくとも１つの活性化したサブオブジェクトのうちの少なくとも１つのサブオブジェクトが選択され、少なくとも該選択されたサブオブジェクトを前記第２の表示状態で表示する請求項１に記載の方法。
【請求項５】
前記第１の表示状態及び／又は前記第２の表示状態において、サブオブジェクトのコンテンツを、ズーミング処理できる請求項１に記載の方法。
【請求項６】
前記複数のサブオブジェクトのうちの少なくとも２つのサブオブジェクトを活性化したサブオブジェクトにする請求項１に記載の方法。
【請求項７】
前記少なくとも１つのオブジェクトを少なくとも部分的に分割して複数のサブオブジェクトに分割するステップが、前記少なくとも１つのオブジェクトの少なくとも一部の構造に基づいて行われる請求項１に記載の方法。
【請求項８】
前記少なくとも１つのオブジェクトを少なくとも部分的に分割して複数のサブオブジェクトに分割するステップが、セクショニング・アルゴリズムに基づいて行われる請求項１に記載の方法。
【請求項９】
前記第１の表示状態で、前記複数のサブオブジェクトのうちの少なくとも１つのサブオブジェクトが、前記複数のサブオブジェクトの各々の原形の表示サイズよりも小さなサイズにスケーリングされる請求項１に記載の方法。
【請求項１０】
前記第１の表示状態で、前記複数のサブオブジェクトのうちの少なくとも１つのサブオブジェクトがクロッピングされる請求項１に記載の方法。
【請求項１１】
前記第１の表示状態で、前記複数のサブオブジェクトのうちの少なくとも１つのサブオブジェクトがアイコンによって表示される請求項１に記載の方法。
【請求項１２】
閾値以上のサイズを有する前記複数のサブオブジェクトのうちのいくつかのサブオブジェクト、若しくは情報の閾値以上である情報量を含む前記複数のサブオブジェクトのうちのサブオブジェクトのいずれか、または双方のサブオブジェクトを活性化したサブオブジェクトにする請求項１に記載の方法。
【請求項１３】
前記少なくとも１つの活性化したサブオブジェクトのうちの少なくとも１つのサブオブジェクトに自動的に焦点を合わせる、若しくは選択基準に従って該サブオブジェクトを選択する、または双方を実行する請求項１に記載の方法。
【請求項１４】
前記第２の表示状態で、前記少なくとも１つの活性化したサブオブジェクトが、前記第１の表示状態の前記サブオブジェクトのサイズよりも大きなサイズにスケーリングされる請求項１に記載の方法。
【請求項１５】
前記第２の表示状態において、前記少なくとも１つの活性化したサブオブジェクトを、活性化及び／又は非活性化の隣接サブオブジェクトと共に表示する請求項１に記載の方法。
【請求項１６】
前記少なくとも１つのサブオブジェクトと、高さまたは幅または深さが少なくとも部分的に同一であるサブオブジェクトは、前記少なくとも１つの活性化したサブオブジェクトのスケーリングにしたがい、少なくとも１つの次元においてスケーリングされる請求項１５に記載の方法。
【請求項１７】
前記第１の表示状態で表示される前記サブオブジェクトのうちの少なくとも１つのサブオブジェクトの範囲内で、ユーザによってエレメントが直接選択されることができる請求項１に記載の方法。
【請求項１８】
前記複数のサブオブジェクトが異なるタイプのサブオブジェクトから成り、第２のタイプのサブオブジェクトから成る少なくとも１つのグループが第１のタイプの少なくとも１つのサブオブジェクトに付随している請求項１に記載の方法。
【請求項１９】
前記第２の表示状態で表示される前記少なくとも１つの活性化したサブオブジェクトが、前記第１のタイプの少なくとも１つのサブオブジェクトであり、前記第１のタイプの前記少なくとも１つのサブオブジェクトに対するユーザのさらなる操作に応じて、前記第１のタイプの少なくとも１つのサブオブジェクトに付随している前記第２のタイプのサブオブジェクトから成る少なくとも１つのグループが表示される請求項１８に記載の方法。
【請求項２０】
請求項１に記載の方法のステップをプロセッサに実行させる作動可能な命令を有するコンピュータ・プログラム。
【請求項２１】
請求項１に記載の方法のステップをプロセッサに実行させる作動可能な命令を有するコンピュータ・プログラムを含むコンピュータ・プログラム製品。
【請求項２２】
少なくともオブジェクトの一部を表示する装置であって、
少なくとも１つのオブジェクトを少なくとも部分的に分割して複数のサブオブジェクトに分割する手段と、
前記複数のサブオブジェクトを第１の表示状態で表示する手段と、
前記複数のサブオブジェクトのうちの少なくとも１つのサブオブジェクトを活性化したサブオブジェクトにする決定を行う手段と、
前記複数のサブオブジェクトのうちの少なくとも１つのサブオブジェクトを活性化したサブオブジェクトにする手段と、
前記少なくとも１つの活性化したサブオブジェクトのうちの少なくとも１つのサブオブジェクトを第２の表示状態で表示する手段と、を具備する装置。
【請求項２３】
前記サブオブジェクトを携帯用電子装置の表示画面に表示する請求項２２に記載の装置。
【請求項２４】
少なくともオブジェクトの一部を表示するシステムであって、
少なくとも１つのオブジェクトを少なくとも部分的に分割して複数のサブオブジェクトに分割する手段と、
前記複数のサブオブジェクトを第１の表示状態で表示する手段と、
前記複数のサブオブジェクトのうちの少なくとも１つのサブオブジェクトを活性化したサブオブジェクトにする決定を行う手段と、
前記複数のサブオブジェクトのうちの少なくとも１つのサブオブジェクトを活性化したサブオブジェクトにする手段と、
前記少なくとも１つの活性化したサブオブジェクトのうちの少なくとも１つのサブオブジェクトを第２の表示状態で表示する手段と、を具備するシステム。
【請求項２５】
少なくとも１つのオブジェクトを受信する手段と、
前記少なくとも１つのオブジェクトを少なくとも部分的に分割して複数のサブオブジェクトに分割する手段と、
前記複数のサブオブジェクトのうちの少なくとも１つのサブオブジェクトを活性化したサブオブジェクトにする決定を行うために、前記複数のサブオブジェクトのうちの少なくとも１つのサブオブジェクトを活性化したサブオブジェクトにするために、および、前記少なくとも１つの活性化したサブオブジェクトのうちの少なくとも１つのサブオブジェクトを第２の表示状態で表示するために、前記複数のサブオブジェクトを第１の表示状態で表示するように設定された表示装置に、前記複数のサブオブジェクトを伝送する手段と、を具備する装置。
【請求項２６】
前記表示装置が、移動するクライアント用である請求項２５に記載の装置。